(57)【要約】【課題】入力されるデジタル映像信号が不連続になったとしても、記録メディアへの記録は途切れなく連続して行なうことが可能な技術を提供する。【解決手段】  外部から供給されるデジタル映像信号から得られる第１のクロックと同一の周波数の第２のクロックを発生させるクロック発生部と、外部から供給されるデジタル映像信号を、前記第１のクロックでフレームメモリに書き込むとともに、前記フレームメモリに書き込まれた前記デジタル映像信号を、前記第２のクロックで読み出す映像処理部と、前記第２のクロックで読み出された映像信号を、前記第２のクロックに基づいて符号化する映像符号化部と、前記映像符号化部で符号化された符号化映像信号を記録メディアに記録する前記記録部とを備える。【選択図】      図１
2014127215.tif 000002
【特許請求の範囲】
【請求項１】
入力される信号を記録メディアに記録中に、前記信号が不連続になると、所定時間を要する記録中断処理を実行する記録部を有する映像信号記装置において、
外部から供給されるデジタル映像信号から得られる第１のクロックと同一の周波数の第２のクロックを発生させるクロック発生部と、
選択信号に基づいて、前記第１のクロックまたは前記第２のクロックを選択し、選択した前記第１のクロックまたは前記第２のクロックを選択クロックとして出力するクロック選択部と、
前記外部から供給されるデジタル映像信号を、前記第１のクロックでフレームメモリに書き込むとともに、前記フレームメモリに書き込まれた前記デジタル映像信号を、前記選択クロックで読み出す映像処理部と、
前記選択クロックで読み出された映像信号を、前記選択クロックに基づいて符号化する映像符号化部と、
前記映像符号化部で符号化された符号化映像信号を記録メディアに記録する前記記録部と、
複数のデジタル映像信号の種類毎に、それらのデジタル映像信号が不連続になる可能性があるか否かを示す連続／不連続情報を設定する設定部と、
前記外部から供給されるデジタル映像信号の種類を判別するとともに、判別した種類の映像信号が不連続になる可能性があるか否かを、前記連続／不連続情報に基づいて判断し、不連続になる可能性があると判断した場合は前記選択信号を前記第２のクロックを選択する信号とする一方、不連続になる可能性がないと判断した場合は前記選択信号を前記第１のクロックを選択する信号とする信号判別部と、
を備えることを特徴とする映像信号記録装置。
【請求項２】
入力される信号を記録メディアに記録中に、前記信号が不連続になると、所定時間を要する記録中断処理を実行する記録部を有する映像信号記装置において、
外部から供給されるデジタル映像信号から得られる第１のクロックと同一の周波数の第２のクロックを発生させるクロック発生部と、
外部から供給されるデジタル映像信号を、前記第１のクロックでフレームメモリに書き込むとともに、前記フレームメモリに書き込まれた前記デジタル映像信号を、前記第２のクロックで読み出す映像処理部と、
前記第２のクロックで読み出された映像信号を、前記第２のクロックに基づいて符号化する映像符号化部と、
前記映像符号化部で符号化された符号化映像信号を記録メディアに記録する前記記録部と、
を備えることを特徴とする映像信号記録装置。
【請求項３】
入力される信号を記録メディアに記録中に、前記信号が不連続になると、所定時間を要する記録中断処理を実行する記録ステップを含む、映像信号記録装置における映像信号記録方法において、
外部から供給されるデジタル映像信号から得られる第１のクロックと同一の周波数の第２のクロックを発生させるクロック発生ステップと、
外部から供給されるデジタル映像信号を、前記第１のクロックでフレームメモリに書き込むとともに、前記フレームメモリに書き込まれた前記デジタル映像信号を、前記第２のクロックで読み出す映像処理ステップと、
前記第２のクロックで読み出された映像信号を、前記第２のクロックに基づいて符号化する映像符号化ステップと、
前記映像符号化部で符号化された符号化映像信号を記録メディアに記録する前記記録ステップと、
を含むことを特徴とする映像信号記録方法。
【請求項４】
前記信号判別部は、
前記判別した種類の映像信号が不連続になる可能性がないと判断した場合、前記判別した種類を前記映像処理部に供給し、
前記映像信号処理部は、
前記判別した種類に応じた特定の映像信号処理機能を、前記フレームメモリを用いて実現することを特徴とする請求項１記載の映像信号記録装置。
【発明の詳細な説明】
【技術分野】
【０００１】
本発明は、外部より入力されるデジタル映像信号を記録メディアに記録する映像信号記録装置、及び映像信号記録方法に関する。
【背景技術】
【０００２】
映像信号記録装置は、一般的に、入力されるデジタル映像信号に対して符号化処理を行なってデータサイズを圧縮し、この圧縮した符号化映像信号を、ＤＶＤ(Digital Versatile Disc)等の記録メディアへ記録する。
【０００３】
なお、記録メディアへの記録は、通常、映像信号記録装置が備えるディスクドライブが行なう。
【先行技術文献】
【特許文献】
【０００４】
【特許文献１】特開平９−１８７４０
【発明の概要】
【発明が解決しようとする課題】
【０００５】
入力されるデジタル映像信号が切り換えられるなどして不連続になると、不連続点でフレーム／フィールドが抜けたデジタル映像信号となる。
【０００６】
フレーム／フィールドが抜けた部分は符号化ができないため、符号化映像信号も、フレーム／フィールドが抜けた部分は不連続となってしまう。
【０００７】
ディスクドライブは、供給される符号化映像信号が不連続になると、その不連続点で記録中断処理を行なうものが多い。記録中断処理は、符号化映像信号の不連続期間が短い場合であっても、それよりも長い一定の処理時間を要する。従って、この処理時間分の期間が映像の途切れとなり記録されないことになってしまう。
【０００８】
本発明は、このような状況を鑑みてなされたものであり、その目的は、入力されるデジタル映像信号が不連続になったとしても、記録メディアへの記録は途切れなく連続して行なうことが可能なデジタル映像信号記録装置、及びデジタル映像信号記録方法を提供することにある。
【課題を解決するための手段】
【０００９】
上記課題を解決するために、本発明は、下記の装置、方法を提供するものである。
（１）入力される信号を記録メディアに記録中に、前記信号が不連続になると、所定時間を要する記録中断処理を実行する記録部を有する映像信号記装置において、
外部から供給されるデジタル映像信号から得られる第１のクロックと同一の周波数の第２のクロックを発生させるクロック発生部と、
選択信号に基づいて、前記第１のクロックまたは前記第２のクロックを選択し、選択した前記第１のクロックまたは前記第２のクロックを選択クロックとして出力するクロック選択部と、
前記外部から供給されるデジタル映像信号を、前記第１のクロックでフレームメモリに書き込むとともに、前記フレームメモリに書き込まれた前記デジタル映像信号を、前記選択クロックで読み出す映像処理部と、
前記選択クロックで読み出された映像信号を、前記選択クロックに基づいて符号化する映像符号化部と、
前記映像符号化部で符号化された符号化映像信号を記録メディアに記録する前記記録部と、
複数のデジタル映像信号の種類毎に、それらのデジタル映像信号が不連続になる可能性があるか否かを示す連続／不連続情報を設定する設定部と、
前記外部から供給されるデジタル映像信号の種類を判別するとともに、判別した種類の映像信号が不連続になる可能性があるか否かを、前記連続／不連続情報に基づいて判断し、不連続になる可能性があると判断した場合は前記選択信号を前記第２のクロックを選択する信号とする一方、不連続になる可能性がないと判断した場合は前記選択信号を前記第１のクロックを選択する信号とする信号判別部と、
を備えることを特徴とする映像信号記録装置。
（２）入力される信号を記録メディアに記録中に、前記信号が不連続になると、所定時間を要する記録中断処理を実行する記録部を有する映像信号記装置において、
外部から供給されるデジタル映像信号から得られる第１のクロックと同一の周波数の第２のクロックを発生させるクロック発生部と、
外部から供給されるデジタル映像信号を、前記第１のクロックでフレームメモリに書き込むとともに、前記フレームメモリに書き込まれた前記デジタル映像信号を、前記第２のクロックで読み出す映像処理部と、
前記第２のクロックで読み出された映像信号を、前記第２のクロックに基づいて符号化する映像符号化部と、
前記映像符号化部で符号化された符号化映像信号を記録メディアに記録する前記記録部と、
を備えることを特徴とする映像信号記録装置。
（３）入力される信号を記録メディアに記録中に、前記信号が不連続になると、所定時間を要する記録中断処理を実行する記録ステップを含む、映像信号記録装置における映像信号記録方法において、
外部から供給されるデジタル映像信号から得られる第１のクロックと同一の周波数の第２のクロックを発生させるクロック発生ステップと、
外部から供給されるデジタル映像信号を、前記第１のクロックでフレームメモリに書き込むとともに、前記フレームメモリに書き込まれた前記デジタル映像信号を、前記第２のクロックで読み出す映像処理ステップと、
前記第２のクロックで読み出された映像信号を、前記第２のクロックに基づいて符号化する映像符号化ステップと、
前記映像符号化部で符号化された符号化映像信号を記録メディアに記録する前記記録ステップと、
を含むことを特徴とする映像信号記録方法。
【発明の効果】
【００１０】
本発明によれば、入力されるデジタル映像信号が不連続になったとしても、記録メディアへの記録は途切れなく連続して行なうことが可能となる。
【図面の簡単な説明】
【００１１】
【図１】本実施例のデジタル映像信号記録装置の構成を示す構成図である。
【図２】本実施例のデジタル映像信号記録方法の処理手順を説明するフローチャートである。
【発明を実施するための形態】
【００１２】
以下、添付図面を参照して本発明の実施の形態を説明する。
＜映像信号記録装置＞
図１は、本発明の実施例に係る映像信号記録装置１００の構成を示す構成図である。映像信号記録装置１００は、デジタル信号入力部１、映像処理部２、映像符号化部３、記録部４、クロック発生部５、信号判別部６、クロック選択部７を含んで構成される。
【００１３】
デジタル信号入力部１は、デジタル映像／音声信号が所定のフォーマットで多重化されたデジタル信号を入力として受け、このデジタル信号の多重化を解いて、デジタル映像信号を抽出する。本実施例では、上記した所定のフォーマットとしてＳＤＩ（Serial Digital Interface）を例とするが、これに限らず、映像信号を含んでデジタル伝送するフォーマットであればどのようなものでも良い。また映像信号のみデジタル伝送するフォーマットでも良い。
【００１４】
また、抽出されたデジタル映像信号としては、ＳＭＰＴＥ２７４Ｍに準拠した映像信号を例とするが、これに限らず、デジタル映像信号であればどのようなものでも良い。また、これ以降は説明の便宜上、デジタル映像信号を単に映像信号と呼ぶ。抽出された映像信号は、映像処理部２へ供給される。
【００１５】
また、デジタル信号入力部１は、入力されるデジタル信号から、クロックを抽出する。なお、これ以降は説明の便宜上、抽出されたクロックを外部クロック（第１のクロック）と呼ぶ。抽出された外部クロックは、クロック選択部７へ供給される。
【００１６】
映像処理部２は、内部に少なくとも２フレーム分以上の容量のフレームメモリを備える。本実施例では、１フレーム分のフレームメモリを２個使用する場合で説明する。
【００１７】
映像処理部２は、供給される映像信号を、一方のフレームメモリに、前述した外部クロックに基づいて書き込む。また、映像処理部２は、既に他方のフレームメモリに書き込まれた映像信号を、後述するクロック選択部７から供給されるクロックに基づいて読み出す。このように、映像処理部２は、書き込む側のフレームメモリと読み出す側のフレームメモリとを交互に交代させながら書き込み、読み出し処理を実行する。読み出された映像信号は、映像符号化部３へ供給される。
【００１８】
映像符号化部３は、供給された映像信号を、後述するクロック選択部７から供給されるクロックに基づいて、ＭＰＥＧ（Moving Picture Experts Group）−２などの符号化フォーマットで符号化する。符号化された映像信号は、記録部４へ供給される。
【００１９】
記録部４は、供給された映像信号を、ＤＶＤ等の記録メディアへ記録する。なお、記録部４は、ディスクドライブなど、それ自体が独立した装置の場合がある。この場合、映像符号化部３とディスクドライブ（記録部４）との間は、例えばＩＥＥＥ１３９４等のデジタルインターフェースを介して接続される。
【００２０】
クロック生成部５は、上述した外部クロックと同じ周波数のクロックを生成する。このクロックを外部クロックと区別するため内部クロック（第２のクロック）と呼ぶ。生成された内部クロックは、クロック選択部７に供給される。
【００２１】
信号判別部６は、外部から供給されたデジタル信号を解析し、多重化されている映像信号の種類を判別する。映像信号の種類は、例えば、垂直解像度、水平解像度、スキャンモード（インターレース、プログレッシブ）、フレームレートといった要素の組み合わせで決定される。従って、信号判別部６は、例えば、これらの要素を検出することで映像信号の種類を判別する。なお、判別方法はこれに限らず、既知の技術を用いたどのような方法でも良い。信号判別部６は、更に、判別結果に基づいて、映像処理部２、及び映像符号化部３へ供給するクロックを外部クロックにするか内部クロックするかを選択するための選択信号を生成する。生成された選択信号は、クロック選択部７へ供給される。
【００２２】
クロック選択部７は、供給された選択信号に基づいて、外部クロック、または内部クロックを選択し、映像処理部２、映像符号化部３へ供給する。
【００２３】
信号判別部６について更に詳細に説明する。
【００２４】
信号判別部６には、映像信号の種類毎に、その種類の映像信号が、不連続になる可能性がある種類の映像信号なのか否かを示す連続／不連続情報があらかじめ設定されている。
【００２５】
この連続／不連続情報は、映像信号記録装置１００にどのような映像信号を記録するかによって、ユーザが自由に設定可能である。例えば、複数の監視カメラで撮影した映像信号を切り換えて記録する場合、ユーザは、この種類の映像信号は不連続になる可能性があるとして映像信号記録装置１００のユーザインターフェース部（図示せず）を介して信号判別部６に設定する。具体的には、例えば、監視カメラの撮影映像フォーマットが、垂直解像度：１０８０、水平解像度：１９２０、スキャンモード：インターレース、フレームレート：６０の場合、ユーザは、この要素の組み合わせの映像フォーマットに対応する連続／不連続情報を、不連続になる可能性があるとして設定する。
【００２６】
一方、この記録装置で、映画フィルムから得られた映像信号を撮影する場合、この映画の開始から終了までの期間は少なくとも不連続は発生しないと考えられる。従って、ユーザは、この映画フィルムから得られる種類の映像信号は不連続になる可能性がないとして映像信号記録装置１００のユーザインターフェース部を介して信号判別部６に設定する。具体的には、例えば、映画フィルムから得られた映像信号の映像フォーマットが、垂直解像度：１０８０、水平解像度：１９２０、スキャンモード：プレグレッシブ、フレームレート：２４の場合、ユーザは、この要素の組み合わせの映像フォーマットに対応する連続／不連続情報を、不連続になる可能性がないとして設定する。
【００２７】
信号判別部６は、上記連続／不連続情報に基づいて、外部から供給されたデジタル信号に含まれる映像信号が不連続になる可能性がある種類の映像信号であるか否かを判別する。
［第１実施例］
まず、信号判別部６が、不連続になる可能性がある種類の映像信号であると判断した場合について説明する。
【００２８】
この場合、クロック選択部７に内部クロックを選択させるための選択信号を生成し、クロック選択部７へ供給する。
【００２９】
クロック選択部７は、供給された選択信号に従って、内部クロックを選択し、選択した内部クロック（選択クロック）を映像処理部２、及び映像符号化部３へ供給する。
【００３０】
これにより、映像処理部２が備えるフレームメモリへの書き込みは、外部クロックによって行なわれ、読み出しは内部クロックによって行なわれることになる。また、読み出しは、書き込みが行なわれている一方のフレームメモリでは無く、既に書き込みが終了している他方のフレームメモリから一定レートで読み出す。
【００３１】
このとき、入力されるデジタル信号、すなわち映像処理部２へ供給される映像信号及び外部クロックが不連続になった場合、一方のフレームメモリへの書き込み処理は中断してしまう。しかし、他方のフレームメモリからの読み出しは内部クロックで行なっているので継続される。従って、このままでは、他方のフレームメモリからの読み出しが終了しても、一方のフレームメモリへの書き込み処理は終了しない状態となる。この場合は、読み出し処理を一方のフレームメモリへ移行させず、再度他方のフレームメモリからの読み出しを行なうようにすれば良い。同じフレームの映像が繰り返されることにはなるものの、読出し処理と書き込み処理とが衝突してしまって映像が乱れる事態は防ぐことができる。
【００３２】
以上のような構成とすることにより、入力されるデジタル信号、すなわち映像処理部２へ供給される映像信号及び外部クロックが不連続になった場合でも、フレーム/フィールド抜けを起こすことなく、連続した映像信号を映像符号化部３へ供給することが可能となる。
【００３３】
従って、映像符号化部３も、記録部４へ連続した符号化映像信号を供給することができる。
【００３４】
よって、記録部４は、記録中断処理を行なうことなく、供給される符号化映像信号を途切れなく連続して記録メディアへ記録することができる。
【００３５】
なお、供給された映像信号が、不連続になる可能性がある種類の映像信号なのか否か明確に判別できない場合は、これら信号処理判別部６、クロック選択部７を用いなくても良い。すなわち、映像処理部２が備えるフレームメモリからの読み出しを常に内部クロックで行なうようにしても良い。
［第２実施例］
次に、信号判別部６が、不連続になる可能性がない種類の映像信号であると判断した場合について説明する。
【００３６】
この場合、クロック選択部７に外部クロックを選択させるための選択信号を生成し、クロック選択部７へ供給する。
【００３７】
クロック選択部７は、供給された選択信号に従って、外部クロックを選択し、選択した外部クロック（選択クロック）を映像処理部２、及び映像符号化部３へ供給する。
【００３８】
これにより、映像処理部２、及び映像符号化部３は、入力されるデジタル信号のクロック（外部クロック）に完全に同期するので、常に安定した不連続が発生しない符号化映像信号を記録部４に供給することができる。
【００３９】
よって、記録部４も、供給される符号化映像信号を途切れなく連続して記録メディアへ記録することができる。
［第３実施例］
ところで、信号判別部６が、不連続になる可能性がない種類の映像信号であると判断した場合は、映像処理部２が備えるフレームメモリを、上記のようなバッファ的な用途として使用しなくても良い。この場合、映像処理部２は、このフレームメモリを、信号判別部６が判別した映像信号の種類に応じた特定の映像処理の用途に用いることが考えられる。
【００４０】
例えば、映像処理部２に、映画フィルムから得られた２４フレーム／秒の映像信号を６０フレーム／秒に変換する機能を持たせ、この機能実現のためにフレームメモリを用いる構成としても良い。
【００４１】
すなわち、信号判別部６が、不連続になる可能性のない種類の映像信号と判断し、かつ、特定の種類の映像信号と判別した場合、その特定の映像信号の種類を映像処理部２に通知する。映像処理部２は、通知された映像信号の種類に応じた特定の映像信号処理機能を、フレームメモリを用いて実現する。こうすることで、限られたリソース（フレームメモリ）を有効に活用することができる。
＜映像信号記録方法＞
以上説明した映像信号記録装置１００における映像信号記録方法の処理の流れを図２のフローチャートを用いて説明する。
【００４２】
まず、デジタル信号入力部１は、入力されるデジタル信号、またはデジタル映像信号から外部クロックを抽出する（ステップＳ１）。
【００４３】
次に、クロック発生部５は、内部クロックを発生させる（ステップＳ２）。
【００４４】
なお上記ステップＳ１とＳ２とは順番は入れ替わっても構わない。
【００４５】
次に、映像処理部２は、入力されるデジタル映像信号を、外部クロックを用いてフレームメモリに書き込み（ステップＳ３）、また、既にフレームメモリに書き込まれたデジタル映像信号を、内部クロックを用いてフレームメモリから一定レートで読み出す（ステップＳ４）。
【００４６】
映像符号化部３は、フレームメモリから一定レートで読み出されたデジタル映像信号を符号化する（ステップＳ５）。
【００４７】
記録部４（ディスクドライブ）は、符号化されたデジタル映像信号を記録メディアへ記録する（ステップＳ６）。
【００４８】
本発明は上記した装置の機能をコンピュータに実現させるためのプログラムを含むものである。これらのプログラムは、記録媒体から読み取られてコンピュータに取り込まれてもよいし、通信ネットワークを介して伝送されてコンピュータに取り込まれてもよい。
【符号の説明】
【００４９】
１：デジタル信号入力部
２：映像処理部
３：映像符号化部
４：記録部
５：クロック発生部
６：信号判別部
７：クロック選択部
１００：映像信号記録装置
【図１】
2014127215.tif 000003
【図２】
2014127215.tif 000004